(57)【要約】【課題】所定様式の証紙を外部から容易に振できない位置に取り付けることにより、証紙の表示情報が不正部品を搭載した遊技機であるとの目印に利用されることを未然に防止できるようにする。【解決手段】受皿ユニット３９の外装部材３９ａの前面と前板３９ｄとの間の空隙にスライド自在に挿入される証紙取付シート３９ｅの左端部に、証紙Ｓの取付位置Ｌを設ける。こうすることにより、前扉５を閉塞した状態では、証紙取付シート３９ｅの左端部の取付位置Ｌは前板３９ｄにより目隠しされているため、外部から取付位置Ｌを視認することができず、証紙Ｓの情報記載面を見ることができない。【選択図】図９
2019103607.tif 000002
【特許請求の範囲】
【請求項１】
内部に電気電子部品や構造部材から成る複数の機器構成物がそれぞれ所定の設置位置に配置された筐体と、該筐体の前面開口を開閉自在に閉塞する前扉とを備え、所定様式の証紙が取り付けられる遊技機において、
前記前扉の閉鎖状態では、前記機器構造物により前記証紙の情報記載面を覆うように目隠しされることで視認不可能となり、かつ、前記前扉の開放状態では開放動作に連動して外部から視認可能となる場所に、前記証紙の取付位置が設定されていることを特徴とする遊技機。
【請求項２】
内部に電気電子部品や構造部材から成る複数の機器構成物がそれぞれ所定の設置位置に配置された筐体と、該筐体の前面開口を開閉自在に閉塞する前扉とを備え、所定様式の証紙が取り付けられる遊技機において、
前記前扉が開放した状態で、スライド開始から完了までの所定のスライド動作が可能になり、前記前扉が閉塞した状態では前記所定のスライド動作が不可能な位置に設けられた証紙取付シートを備え、
前記証紙は、前記証紙取付シートを前記所定のスライド動作によりスライドを完了した状態で外部から視認不可能になるように前記証紙取付シートに取り付けられていることを特徴とする遊技機。
【発明の詳細な説明】
【技術分野】
【０００１】
本発明は、筐体と、該筐体の前面開口を開閉自在に閉塞される筐体する前扉とを備えるパチンコ機、スロットマシン等の遊技機に関する。
【背景技術】
【０００２】
従来、スロットマシン等の遊技機では、遊技者の射幸心をむやみに煽ることを防止し、かつ、賞球やメダルなどの遊技媒体が不正に取得されることを防止するために、法令等に基づく規則により遊技機の仕様、性能が定められている。そして、公的な第三者機関が実施する検査を受けた結果、規則に定める仕様、性能を満たす適合機種であると認められた遊技機には、所定様式の証紙が遊技機の所定位置に貼付するなどして取り付けられる。なお、証紙には、上記した第三者機関の検査に適合したことを表わすもののほか、例えば特許権の許諾を受けていることを表わすものや、当該遊技機固有の識別情報（ＩＤ）を表示したものなどもある。
【０００３】
このとき、証紙の貼付位置として、例えば特許文献１に記載のように、受皿ユニットの前面に、外部から表示可能な証紙表示窓を設け、その証紙表示窓に証紙を貼付することが提案されている。
【０００４】
具体的には、次のようにして証紙が貼付される。すなわち、外装部材と、払い出されるメダルを受ける受皿部と、灰皿部材と、外装部材の前面部に取り付けられる板状の透明保護パネルとにより構成される受皿ユニットが、前扉の後面側から挿通孔に挿入されるボルト等により前扉の前面下部に固定されて取り付けられ、この受皿ユニットの外装部材の前面部に矩形状の複数の証紙表示窓が穿設形成され、外装部材の前面部と透明保護パネルとの間に空隙が設けられ、この空隙に、証紙表示窓に証紙が位置するように証紙が貼付された透明プレートが後方から挿入され、これにより透明保護パネルを介して外部から証紙表示窓に位置する証紙を視認することができるようになっている。
【先行技術文献】
【特許文献】
【０００５】
【特許文献１】特許５０８３８６０号公報（段落００７３〜００９３、図４〜図１０参照）
【発明の概要】
【発明が解決しようとする課題】
【０００６】
しかし、上記した特許文献１に記載のように受皿ユニットの前面部に外部から視認可能に証紙を配置すると、証紙に表示された情報が外部から容易に視認できるため、遊技者が証紙の情報記載面の記録情報を見ることで、例えば不正行為者によって正規部品が不正部品に交換された遊技機であることを特定可能になるといった不正の目印になるおそれがある。
【０００７】
本発明は、上記課題に鑑みてなされたものであり、所定様式の証紙を外部から容易に視認できない位置に取り付けることにより、証紙の表示情報が不正部品を搭載した遊技機であるとの目印に利用されることを未然に防止できるようにすることを目的とする。
【課題を解決するための手段】
【０００８】
上記した目的を達成するために、本発明の遊技機は、内部に電気電子部品や構造部材から成る複数の機器構成物がそれぞれ所定の設置位置に配置された筐体と、該筐体の前面開口を開閉自在に閉塞する前扉とを備え、所定様式の証紙が取り付けられる遊技機において、前記前扉の閉鎖状態では、前記機器構造物により前記証紙の情報記載面を覆うように目隠しされることで視認不可能となり、かつ、前記前扉の開放状態では開放動作に連動して外部から視認可能となる場所に、前記証紙の取付位置が設定されていることを特徴としている。
【０００９】
このように構成することにより、前扉を開放しない限り、証紙の取付位置が前扉の開放動作に連動して外部から視認可能にならないため、例えば遊技中にホール管理者によって前扉が開放されない限り証紙の取付位置を視認できず、証紙の表示情報が不正部品を搭載した遊技機であるとの目印に利用されることを未然に防止することができる。また、前扉が閉じている状態で、例えば筐体に孔を空けてファイバスコープカメラを筐体内部に挿入したとしても、証紙の取付位置を容易に視認することはできず、前扉を開放すれば容易に視認できるので、遊技機の点検を非常に楽に行うことができる。
【００１０】
また、内部に電気電子部品や構造部材から成る複数の機器構成物がそれぞれ所定の設置位置に配置された筐体と、該筐体の前面開口を開閉自在に閉塞する前扉とを備え、所定様式の証紙が取り付けられる遊技機において、前記前扉が開放した状態で、スライド開始から完了までの所定のスライド動作が可能になり、前記前扉が閉塞した状態では前記所定のスライド動作が不可能な位置に設けられた証紙取付シートを備え、前記証紙は、前記証紙取付シートを前記所定のスライド動作によりスライドを完了した状態で外部から視認不可能になるように前記証紙取付シートに取り付けられていてもよい。
【００１１】
このように構成すると、前扉を開放しない限り証紙取付シートのスライド動作を行うことができず、前扉を開放し、かつ、証紙取付シートをスライドを完了した状態からスライドさせることにより証紙の取付位置を外部から視認可能になるため、例えば、スロットマシンの場合に、筐体側の適当な位置に証紙の取り付けを行うと、ホッパータンクへのメダル補給を頻繁に行う必要があり、その際、遊技者が証紙を見ることができてしまうおそれがあるが、遊技中にホール管理者によって前扉が開放されただけでは証紙の取付位置を視認できず、証紙の表示情報が不正部品を搭載した遊技機であるとの目印に利用されることを未然に防止することが可能になる。また、パチンコ等に関しても、異常時には前枠を開放することがあるため、同様の効果を得ることができる
【図面の簡単な説明】
【００１２】
【図１】本発明の第１実施形態に係るスロットマシンの正面図である。
【図２】図１のスロットマシンの筐体内部の正面図であり、（ａ），（ｂ）は基板ケースがある場合とない場合を示す。
【図３】図１のスロットマシンの前扉を開放した状態の斜視図である。
【図４】図３を簡略化して証紙の取付位置を図示した斜視図である。
【図５】図１のスロットマシンにおけるメイン基板ケースの設置位置での斜視図である。
【図６】図１のスロットマシンにおけるメイン基板ケースの取付用のベース部材を回転した状態での斜視図である。
【図７】図６に示す回転状態のベース部材に対してさらに基板ケースを回転した状態での斜視図である。
【図８】図１のスロットマシンの前扉の分解斜視図である。
【図９】図１のスロットマシンの受皿ユニットの分解斜視図である。
【図１０】第１実施形態における他の取付位置を示す図である。
【図１１】第１実施形態におけるさらに他の取付位置を示す図である。
【図１２】本発明の第２実施形態に係るスロットマシンの前扉を開放した状態の斜視図である。
【図１３】図１２のスロットマシンの前扉を後方から見た背面図である。
【図１４】図１１のリールユニットを取りした状態の正面図である。
【発明を実施するための形態】
【００１３】
（第１実施形態）
本発明をスロットマシンに適用した第１実施形態について、図１ないし図１１を参照して詳細に説明する。
【００１４】
本実施形態に係るスロットマシン１は、予め設定された複数の遊技状態のうちのいずれかの遊技状態において、メダルなどの遊技媒体が規定数（例えば、３枚）投入され、後述するスタートスイッチが操作されることを条件に１回の遊技が実行開始されるものであり、図１ないし図３のように構成されている。
【００１５】
前扉５の左端がヒンジ（後に詳述）により回転可能に筐体３に支持されて筐体３の前面が開閉自在に閉塞されており、前扉５のほぼ中央右端部には前扉５を閉塞状態にロックするロック機構をロック解除するためのロック解除キー５ａが設けられ、このロック解除キーの解除操作により、ロック機構のロックが解除されて前扉５が開放可能になり、前扉５を閉塞してロック機構をロックすることにより前扉５が閉塞状態に保持される。
【００１６】
前扉５の前面のほぼ中央高さの位置に操作板７が配設され、この操作板７の上方に正面板９が配設され、操作板７の情報に位置する正面板９には横長矩形の表示窓１１が設けられている。また、表示窓１１の内側には、複数種類の図柄を予め定められた順序で可変表示する左・中・右リール１３Ｌ，１３Ｍ，１３Ｒが配置されている。左・中・右リール１３Ｌ，１３Ｍ，１３Ｒには、複数種類の図柄（例えば、「赤７」、「青７」、「ＢＡＲ」、「ＢＬ」、「ＷＭ（スイカ）」、「ＣＨ（チェリー）」、「ＲＰ１（リプレイ１）」、「ＲＰ２（リプレイ２）」、「ＢＥ（ベル）」など）が合計２０個ずつ、所定の配列でそれぞれ設けられている。
【００１７】
また、各図柄には、０番から１９番までのコマ番号が順に付されている。この場合、例えば、コマ番号０番から１９番までの図柄が印刷されたリールテープが各リール１３Ｌ，１３Ｍ，１３Ｒの周面に貼り付けられている。そして、各リール１３Ｌ，１３Ｍ，１３Ｒが回転すると、コマ番号１９番、１８番、…、０番、１９番、…の予め定められた順に複数の図柄がそれぞれ表示窓１１に変動表示される。表示窓１１からは、各リール１３Ｌ，１３Ｍ，１３Ｒの回転が停止すると、図柄が上段、中段および下段にそれぞれ１個の合計３個ずつ覗くように設定されている。すなわち、３個すべてのリール１３Ｌ，１３Ｍ，１３Ｒが停止すると、縦３列横３行に配列された合計９個の図柄が表示窓１１に停止表示されるようになっている。
【００１８】
また、各リール１３Ｌ，１３Ｍ，１３Ｒを独立して回転駆動できるように、各リール１３Ｌ，１３Ｍ，１３Ｒそれぞれには、ステッピングモータにより構成されるリールモータが連結されており、各リール１３Ｌ，１３Ｍ，１３Ｒと各々のリールモータとによりリールユニット１３が構成されている。
【００１９】
さらに、操作板７には、遊技者が内部に貯留されているクレジットメダルから１枚ずつのメダル投入を指示するための操作を行うベットスイッチ１５、遊技者がクレジットメダルから１ゲーム（遊技）あたりの最大投入枚数（例えば、３枚）のメダル投入を指示するための操作を行う最大ベットスイッチ１７、遊技者が各リール１３Ｌ，１３Ｍ，１３Ｒを回転させて各図柄の可変表示を開始させるための操作を行うレバー状のスタートスイッチ１９、遊技者が左・中・右リール１３Ｌ，１３Ｍ，１３Ｒの回転をそれぞれ停止させて各図柄の可変表示を停止させるための操作を行う左・中・右ストップスイッチ２１Ｌ，２１Ｍ，２１Ｒ（停止操作手段）、ベットスイッチ１５に並設された遊技者がクレジットメダルを払い出す操作を行うための精算スイッチ２３、およびメダル投入口２５が設けられ、各リール１３Ｌ，１３Ｍ，１３Ｒそれぞれの回転を停止操作するために各リール１３Ｌ，１３Ｍ，１３Ｒそれぞれに対応して各ストップスイッチ２１Ｌ，２１Ｍ，２１Ｒが設けられている。
【００２０】
また、正面板９の上方のほぼ中央には、動画などを表示して遊技者に当選や入賞などを告知したり、各ストップスイッチ２１Ｌ，２１Ｍ，２１Ｒの操作態様を報知するなどの演出を行うための液晶表示器２７が設けられている。液晶表示器２７の左右には、音楽や音声などによる演出を行うためのスピーカ２９Ｌ，２９Ｒがそれぞれ設けられている。また、液晶表示器２７の上方およびスピーカ２９Ｌ，２９Ｒの上方には、それぞれ中央ランプ部３１Ｍおよび左・右ランプ部３１Ｌ，３１Ｒが配設されている。ここで、各ランプ部３１Ｍ，３１Ｌ，３１Ｒには、それぞれ発光ダイオードなどの光源が配設されている。
【００２１】
また、前扉５の操作板７の下方には、装飾画などが表示された下部パネル３３が設けられ、この下部パネル３３の左右には、それぞれ複数の光源が例えば２列に並んで配置された下部ランプ部３５Ｌ，３５Ｒが設けられている。また、下部パネル３３の下方には、メダルのメダル払出口３７や、このメダル払出口３７から払い出されるメダルを受ける受皿ユニット３９や、スピーカ４１Ｌ，４１Ｒが設けられている。また、正面板９の左下隅にはクレジットメダルの貯留枚数を表示するクレジット表示器４３が配設されている。このクレジット表示器４３は、例えば２個の７セグメントＬＥＤで構成され、２桁の貯留枚数（最大で５０枚）が表示可能になっている。
【００２２】
続いて、筐体３の内部の構成について説明する。図２および図３に示すように、筐体３内部のほぼ中央には、３個のリール１３Ｌ，１３Ｍ，１３Ｒおよびこれらのリールを回転駆動するリールモータから成るリールユニット１３が配設され、筐体３の背板３ａの上部であってリールユニット１３の上方には、図５ないし図７に示すような基板ケース取付構造４５が配設されている。
【００２３】
この基板ケース取付構造４５は、図５ないし図７に詳しく示すように構成され、筐体３の背板３ａに固着された左右の固定部材４７ａ，４７ｂと、左端部が左側のコ字状の固定部材４７ａの前端部に回転自在に枢支され右端部が右側の固定部材４７ｂに設けられた係止ピン４８ａ、および、この係止ピン４８ａが挿通される係止孔４８ｂとの組み合わせにより係脱自在に係止されるベース部材４８と、ベース部材４８に左端が回転自在に支持されたＡＢＳやポリカーボネート（ＰＣ）などの透明素材から成るメイン基板ケース４９とを備えている。なお、ベース部材４８の右端にはフック体４８ｃが設けられ、係止孔４８ｂに挿通した状態の係止ピン４８ａにフック体４８ｃが係合することにより、ベース部材４８の右端部が回転不能に固定された状態に保持される。
【００２４】
また、メイン基板ケース４９は、直方体状の箱体を２分割した２つのケース体を重合し、両ケース体を重合した状態でかしめ構造４９ａによりかしめ固定される構成であり、かしめ構造４９ａの一部を破壊しない限りメイン基板ケース４９を開放して内部のメイン制御基板にアクセスできないようになっている。ここで、メイン制御基板には、スロットマシン１の遊技状態を制御するメインＣＰＵ等から成るメインＣＰＵ等の制御回路が搭載されている。
【００２５】
また、筐体３の左側板３ｂの上部内面にはサブ制御基板を収納したアクリルなどの透明素材から成るサブ基板ケース５１が取り付けられ、メイン制御基板のメインＣＰＵから送信される遊技状態等に応じた送信信号を受信し、遊技状態の進行に応じて液晶表示器２７による画面表示やスピーカ２９Ｌ，２９Ｒ等からの音楽による演出を制御するサブＣＰＵがサブ制御基板に搭載されている。さらに、筐体３の右側板３ｃの上部内面には、メイン制御基板と、ホールコンピュータと称される管理用コンピュータとを接続するための外部出力端子板５３が取り付けられている。
【００２６】
リールユニット１３の下方の筐体３の底板にはホッパーユニット５５が移動可能に配設され、このホッパーユニット５５は、メダルを貯留するホッパータンク５５ａと、ホッパータンク５５ａの下方に配設されたホッパーモータ５５ｂと、ホッパータンク５５ａから溢れたメダルを収容する補助タンク５５ｃとを備える。そして、ホッパーユニット５５のホッパーモータ５５ｂが上記したメインＣＰＵにより制御され、ホッパーモータ５５ｂの駆動により、ホッパータンク５５ａに貯留されたメダルがメダル払出口３７に向けて払い出される。
【００２７】
また、筐体３内のホッパーユニット５５の左方には、各部への電源を供給する電源ユニット５７が移動可能に配設されている。この電源ユニット５７には、電源のＯＮ、ＯＦＦの切り換えに用いられる電源スイッチ、設定変更処理用のキーシリンダからなる変更処理開始スイッチや、設定変更時の設定値の切り換えに用いられるリセットスイッチなどが設けられている。
【００２８】
次に、前扉５の裏面側の構成について説明する。図３に示すように、前扉５の裏面側の上部には、上記した液晶表示器２７および上部のスピーカ２９Ｌ，２９Ｒが配設され、その下方には表示窓１１が配設され、右端下部にはメダルセレクタ６１が配設され、メダルセレクタを挟んで左右にはスピーカ４１Ｌ，４１Ｒが配設されている。メダルセレクタ６１は、メダル投入口２５に投入されたメダルが正規のものか否かを選別し、メダルが通流するメダルシュート６１ａを経て、正規のメダルのみホッパーユニット５５に導き、形状や重さ等が正規でないものはメダル払出口３７に排出する。
【００２９】
また、受皿ユニット３９が前扉５を構成するドアベースの下部の前面側に設けられるが、この受皿ユニット３９は、図８に示すように、外装部材３９ａと、外装部材３９ａの内側に装着され、ホッパーユニット５５から払い出されるメダルを受ける受皿部３９ｂと、外装部材３９ａの左端部内側に装着される灰皿置き３９ｃと、外装部材３９ａの前面の左半部に空隙をあけて取り付けられた前板３９ｄと、外装部材３９ａの前面と前板３９ｄとの間の空隙にスライド自在に挿入される可撓性を有する証紙取付シート３９ｅと、外装部材３９ａの前面の右半部に露出する挿入状態の証紙取付シート３９ｅを覆うためにボルト３９ｆにより外装部材３９ａの前面の右半部に装着固定される透明なカバー体３９ｇとを備える。
【００３０】
そして、受皿ユニット３９の外装部材３９ａは、前扉５の下部後面側から前扉の前面下部に、前扉５の裏面側からねじ止めされて取り付けられるようになっている。一方、証紙取付シート３９ｅの後端部に係合爪を有する取付部材が設けられ、証紙取付シート３９ｅを上記した空隙に挿入すると外装部材３９ａの被係合部に証紙取付シート３９ｅの取付部材の係合爪が係合することにより、証紙取付シート３９ｅが受皿ユニット３９が固定される。そして、前扉５を開放し、証紙取付シート３９ｅの取付部材の係合爪と外装部材３９ａの被係合部との係合状態を解除する前扉５を開放した状態で取付部材を取り外すことにより、証紙取付シート３９ｅのスライド開始から完了までの所定のスライド動作が可能な状態になり、前扉５を閉塞した状態では証紙取付シート３９ｅをスライドさせることができない構造になっており、証紙取付シート３９ｅはスライドを完了した状態では前板３９ｄにより目隠しされて外部から視認不可能な状態に保持される
【００３１】
ところで、図９に示すように、証紙取付シート３９ｅの左端部には、後述するように所定様式の証紙Ｓが貼付されるが、前扉５を開放して証紙取付シート３９ｅをスライド開始から完了までの所定のスライド動作が可能な状態にし、証紙取付シート３９ｅを前面から見て右方にスライドさせたときに、証紙取付シート３９ｅの左端部に貼付された証紙が見える位置で位置決めされるように、証紙取付シート３９ｅの右端部に位置決め孔３９ｈが形成されるとともに、この位置決め孔３９ｈが係合する係合部（図示省略）が外装部材３９ａに形成されている。なお、位置決め孔３９ｈに代えて位置決め突起を設け、この突起が係合する凹状の係合部を外装部材３９ａに形成してもよい。
【００３２】
上記した構成のスロットマシン１において、当該スロットマシン１が、規則に定める仕様や性能を満たす適合機種であると公的な第三者機関が実施する検査により認められると、所定様式の証紙が貼付されるなどして取り付けられるが、その取付位置として、前扉５を開放し、かつ、少なくともいずれか１つの機器構成物をその設置位置から変位することにより外部から視認可能になる場所であることが望ましい。ここで、証紙には、上記した第三者機関の検査に適合したことを表わすもののほか、例えば特許権の許諾を受けていることを表わすもの、当該遊技機固有の識別情報（ＩＤ）を表示したものがあり、取り付ける証紙の種類は特に限定されない。
【００３３】
例えば、図４ないし図７に示すように、筐体３の背板３ａの上部に配設された機器構成物であるベース部材４８およびこれに取り付けられるメイン基板ケース４９の周辺に取付位置を設ける。
【００３４】
より具体的には、図５ないし図７に示すように、筐体３の背板３ａの基板ケース取付構造４５のベース部材４８の背後に、証紙を貼付する取付位置Ａ１，Ａ２を設ける。この場合、取付位置Ａ２は取付位置Ａ１に比べ、メイン基板ケース４９の左端の回転軸と反対の右端側に位置するため、メイン基板ケース４９の回転量が少なくても証紙を視認することができる。ここで、取付位置Ａ２は、固定部材４７ａ，４７ｂ間の中間位置よりも右側の固定部材４７ｂ寄りの位置、或いは、メイン基板ケース４９の左右の両端間の中間位置よりも右端寄りの位置、或いは、メイン基板ケース４９内に収納された基板の左右の両端間の中間位置よりも右端寄りの位置に設けるのが望ましい。
【００３５】
また、図６、図７に示すように、筐体３の背板３ａの基板ケース取付構造４５の背後であってもメイン基板ケース４９のかしめ構造４９ａの裏側に、取付位置Ａ３を設けてもよく、図６に示すように、ベース部材４８そのものの背後であってメインかしめ構造４９ａの裏側の位置に、取付位置Ａ４を設けてもよい。この場合、メイン基板ケース４９を大きく回転させないと裏側の取付位置Ａ４を視認することができないため、不正部品を搭載した遊技機であるとの目印に証紙が利用され難いという利点がある。
【００３６】
さらに、図５ないし図７に示すように、筐体３の背板３ａであって基板ケース取付構造４５の固定部材４７ｂおよびかしめ構造４９ａの横に、取付位置Ａ５を設けてもよい。また、図７に示すように、基板ケース取付構造４５のベース部材４８の前面であってメイン基板ケース４９の背後に、取付位置Ａ６を設けてもよく、ベース部材４８の前面であってメイン基板ケース４９のかしめ構造４９ａの裏側やかしめ構造４９ａの横に、取付位置Ａ７，Ａ８をそれぞれ設けてもよい。なお、ベース部材４８の裏面であって、取付位置Ａ４のようなかしめ構造４９ａのすぐ裏側ではなくかしめ構造４９ａから離れた位置に証紙取付位置を設けてもよいのは勿論である。
【００３７】
また、メイン基板ケース４９そのものに取付位置を設けることもでき、図５に示すように、メイン基板ケース４９の右端の凸片４９ｂの前面に取付位置Ａ９を設けてもよく、図７に示すように、メイン基板ケース４９の背面中央およびかしめ構造４９ａの裏側にそれぞれ取付位置Ａ１０、Ａ１１を設けてもよい。ここで、取付位置Ａ９，Ａ１１はメイン基板ケース４９内に収納された基板と重ならない位置でもある。
【００３８】
このように、機器構成物であるベース部材４８およびメイン基板ケース４９の周辺に取付位置Ａ１〜Ａ１０を設けることにより、前扉５を開放し、かつ、基板ケース取付構造４５やメイン基板ケース４９を回転させてその設置位置から変位しない限り、証紙の取付位置Ａ１〜Ａ１０を外部から視認することができない。そのため、例えば遊技中にホール管理者によって前扉が開放されただけでは証紙の取付位置Ａ１〜Ａ１０を視認することができず、証紙の表示情報が不正部品を搭載した遊技機であるとの目印に利用されるのを未然に防止することが可能になる。特に、かしめ構造４９ａ付近の取付位置Ａ３〜Ａ５、Ａ８に証紙を貼付すると、メイン制御基板の確認検査の際に証紙を視認することができる。
【００３９】
次に、前扉４を開放した状態で、その他の機器構造物を変位して視認可能になる取付位置の例について説明する。
【００４０】
図４に示すように、筐体３の背板３ａの前面であって筐体３の内部に配設された機器構成物であるリールユニット１３の背後、取付位置Ｂを設けてもよく、この場合、前扉５を開放し、かつ、リールユニット１３を移動して設置位置から変位させない限り取付位置Ｂを視認することができない。
【００４１】
また、筐体３の底板の上面であって筐体３の内部に配設された機器構成物のひとつであるホッパーユニット５５のホッパーモータ５５ｂの下部に、取付位置Ｃ１を設けてもよく、補助タンク５５ｃの下部に取付位置Ｃ２を設けてもよい。さらに、また、筐体３の左側板の内面側であって筐体３の内部に配設された機器構成物のひとつである電源ユニット５７の左方に、取付位置Ｄ１を設けてもよく、筐体３の底版の上面であって電源ユニット５７の下部に取付位置Ｄ２を設けてもよい。
【００４２】
このように、取付位置Ｃ１，Ｃ２，Ｄ１，Ｄ２を設けることにより、前扉５を開放し、かつ、ホッパーユニット５５や電源ユニット５７を移動させてその設置位置から変位しない限り、証紙の取付位置Ｃ１，Ｃ２，Ｄ１，Ｄを外部から視認することができない。なお、筐体３の底板に限らず、背板３ａのホッパーユニット５５(補助タンク５５ｃを含む)や電源ユニット５７の後方に隠れる位置に、証紙の取付位置を設けてもよい。特に、ホッパーユニット５５は、通常前扉５が開放されると前方にスライド可能な状態になってホッパータンク５５ａにメダルの補給を行うことが可能になり、係るメダル補給の際にホッパータンク５５ａをスライド完了状態からスライドさせることで、外部から証紙の取付位置を視認することができるため、より好適である。
【００４３】
さらに、図４に示すように、筐体３の左側板３ｂの内面側であって、リールユニット１３の上端とほぼ同じ高さ位置に取付位置Ｅ１を設け、電源ユニット５７の状態より少し高い位置に取付位置Ｅ２を設けてもよく、筐体３の右側板３ｃの内面側であって、メイン基板ケース４９とほぼ同じ高さ位置に取付位置Ｅ３を設けてもよい。このとき、メイン基板ケース４９とほぼ同じ高さ位置に取付位置Ｅ３を設けると、取付位置Ｅ３はメイン基板ケース４９内の基板を確認する際の目線とほぼ同じ高さになり、前扉５を開放したときに視認し易くなり、また前扉５を開放しても筐体３内を覗き込まないと取付位置Ｅ３の証紙を確認することができないので、不正利用の防止効果が高い。なお、取付位置Ｅ３は、筐体３の左、右側板３ｂ，３ｃに設けられる把手６７（図３参照）を避けて設けるのが好ましい。また、外部出力端子板５３の近傍に証紙取付位置を設けてもよく、この場合、外部出力端子板５３が正常かどうかの確認のために外部出力端子板５３にコネクタを取り付けるなどの作業を行う際に、近傍の証紙取付位置に貼付された証紙を確認することができる。
【００４４】
また、図４および図１０に示すように、前扉５を筐体３に回転自在に支持するために上下２箇所に配設されたヒンジ６９に取付位置Ｆを設けてもよく、こうすると前扉５を開放した状態で取付位置Ｆに貼付した証紙Ｓが外部から視認可能になり、前扉５を閉塞した状態では視認不可能になる。ここで、図１０（ａ）は前扉５を閉塞した状態、同図(ｂ)は前扉５を開放した状態それぞれにおいて、ヒンジ６９に設定された取付位置Ｆの見え方を示したものである。なお、取付位置Ｆには、図１０に示すように複数の証紙Ｓを貼付するようにしてもよい。
【００４５】
このように、ヒンジ６９に証紙の取付位置Ｆを設けると、前扉５を開放する動作に連動して取付位置Ｆが視認可能になるため、前扉５の閉塞中に外部から治具を挿入されて取付位置Ｆに貼付された証紙が視認されるのを防止することができる。
【００４６】
また、図１１に示すように、不透明な素材から成り右端が開口した矩形袋状の保持体７１を用意し、この保持体７１の内部の証紙Ｓを貼付するための貼付板７３を収容するとともに、収容状態における保持体７１および貼付板７３の右端下部を共締め部７５により貼付板７３が回転可能に状態に共締めし、保持体７１の上端に取り付けられた紐７７により、筐体３とリールユニット１３とを封印するために設けられる封印バンドに吊り下げるようにしてもよく、この場合、貼付板７３に取付位置Ｇが設けられることになる。なお、図１１（ａ）は貼付板７３を保持体７１内に収容した状態を示し、外部から証紙Ｓを視認することはできず、同図(ｂ)は貼付板７３の上端部を保持体７１内から引き出した状態を示し、貼付板７３の上端部を引き出すことにより、外部から貼付板７３に貼付された証紙Ｓを視認することができる。
【００４７】
このように、封印バンドに吊り下げられる保持体７１内の貼付板７３に証紙の取付位置Ｇを設けることにより、機種変更があっても保持体７１を取り付け直すだけで簡単に取付位置Ｇを確保することができる。なお、保持体７１は透明であってもよい。また、上記した封印バンドに限らず、リール１３Ｌ，１３Ｍ，１３Ｒの回転、ホッパーユニット５５からのメダルの払出し、前扉５の開閉操作等、各種の動作や操作の妨げにならない場所に保持体７１を吊り下げるようにしてもよい。さらに、筐体３の右側板３ｃの外部出力端子板５３や把手６７の近傍に保持体７１を吊り下げてもよい。
【００４８】
さらに、前扉５の裏面側に証紙の取付位置を設けてもよい。例えば、図４に示すように、操作板７の裏面側を覆うカバーに証紙の取付位置Ｈを設けたり、メダルセレクタ６１の上部の開閉部（図４中に２点鎖線参照）の内側に取付位置Ｉ１を設けたり、メダルセレクタ６１のメダル流路に該当する部分に取付位置Ｉ２，Ｉ３を設けてもよい。また、下部のスピーカ４１Ｌ，４１Ｒの裏面側に証紙の取付位置Ｊ１，Ｊ２を設けてもよい。さらに、前扉５の上面の表、裏のいずれかに取付位置Ｋを設けてもよい。また、前扉５の底板の表、裏のいずれか、または、受皿ユニット３９の下面の表に取付位置を設けてもよく、前扉５の底板の下面の表および受皿ユニット３９の下面の表に取付位置を設けると、遊技場にスロットマシン１を設置した場合に、前扉５を閉じている状態においては島設備の枠に隠れている場所となるため、前扉５の閉塞状態では見え難くなって好適である。
【００４９】
ところで、証紙の取付位置として、上記した場所以外に、前扉５の閉鎖状態では、機器構造物により証紙の情報記載面を覆うように目隠しされることで視認不可能となり、かつ、前扉５の開放状態では開放動作に連動して、情報記載面が外部から視認可能になる場所に設けてもよい。
【００５０】
具体的には、図８、図９に示すように、受皿ユニット３９の外装部材３９ａの前面と前板３９ｄとの間の空隙にスライド自在に挿入される証紙取付シート３９ｅの左端部に、証紙Ｓの取付位置Ｌを設けるとよい。
【００５１】
このように、証紙取付シート３９ｅの左端部に取付位置Ｌを設けると、前扉５を閉塞した状態では、証紙取付シート３９ｅの左端部の取付位置Ｌは前板３９ｄにより目隠しされているため、外部から取付位置Ｌを視認することができず、証紙Ｓの情報記載面を見ることはできない。一方、取付位置Ｌに貼付された証紙Sを視認するには、まず前扉５を開放して証紙取付シート３９ｅをスライド開始から完了までの所定のスライド動作が可能な状態にし、位置決め孔３９ｈが係合する係合部に係合するまで、証紙取付シート３９ｅを前面から見て右方にスライドさせることにより、証紙取付シート３９ｅの左端部の取付位置Ｌがカバー体３９ｇにより覆われていた位置まで移動して証紙Ｓの情報記載面を視認することが可能になる。
【００５２】
なお、受皿ユニット３９に不透明な目隠し部材を設け、前扉５が閉塞している状態では証紙を視認できず、前扉５の開放動作に連動してこの目隠し部材が動くことで証紙が視認できるように証紙取付位置を設けてもよい。
【００５３】
また、図３に示すように、前扉５の裏面側上端にはフランジ状のガード５ｂが後方に延出して設けられており、前扉５を閉塞したときにこのガード５ｂが前扉５と筐体３との間の隙間を完全に塞ぐ状態になるため、外部から針金などの不正部材を挿入しようとしても付勢部材がガード５ｂに当たって挿入できず、不正行為を未然に防止できる構成になっている。
【００５４】
そこで、図３に示すように、この前扉５のガード５ｂに証紙の取付位置Ｍを設けるとよく、こうすることで前扉５を開放したときに取付位置Ｍに貼付された証紙の情報記載面を外部から視認できる一方、前扉５を閉塞した状態ではガード５ｂが筐体３の天板の前端下に入り込んで目隠し状態になるため、取付位置Ｍに貼付された証紙の情報記載面を視認することはできなくなる。
【００５５】
（第２実施形態）
次に、本発明を第１実施形態とは異なるスロットマシンに適用した第２実施形態について、図１２ないし図１４を参照して詳細に説明する。
【００５６】
本実施形態に係るスロットマシン１ａは、図１２に示すように、上記した第１実施形態に係るスロットマシン１のリールユニット１３と同様のリールユニット１３１を前扉５に取り付けた点が、第１実施形態と大きく相違している。その他に、筐体３内の上部にはウーハースピーカ８１ａを備えたウーハーユニット８１が設けられている点も相違する。
【００５７】
本発明における機器構造物であるリールユニット１３１は、所定の着脱構造により前扉５の裏面に取り外し可能または回動可能に取り付けられ、遊技中以外の必要時に、図１２中の１点鎖線に示すように、リールユニット１３１を前扉５から取り外す、または回動させることにより、リールユニット１３１の内部を確認することができる状態になる。ここで、リールユニット１３１の内部には、左・中・右リール１３１Ｌ，１３１Ｍ，１３１Ｒや、これらのリールを回転駆動するリールモータのほか、左・中・右リール１３１Ｌ，１３１Ｍ，１３１Ｒの上方に配置され、リールユニット１３１の取り外しや回動の履歴情報を保存し、取り外されたときに液晶表示器２７等にエラー表示を行うための信号を出力する２４時間監視装置などが配設されている。
【００５８】
そして、スロットマシン１ａにおいて、証紙の取付位置として、図１３に示すように、前扉５からリールユニット１３１を取り外した状態における液晶表示器２７と表示窓１１との間の前扉５の裏面に証紙の取付位置Ｎを設けるとよい。また、図１４に示すように、取り外したリールユニット１３１の各リール１３１Ｌ，１３１Ｍ，１３１Ｒの上方の２４時間監視装置付近に証紙の取付位置Ｏを設けてもよい。
【００５９】
この場合、前扉５を開放した上で、リールユニット１３１を取り外し、または回動しない限り、リールユニット１３１内部の取付位置Ｎ，Ｏを視認することはできず、証紙の情報記載面の記載情報を基に、不正部品を搭載した遊技機であるとの目印に利用されるのを未然に防止することができる。
【００６０】
また、図１２に示すように、ウーハーユニット８１のウーハースピーカ８１ａの右方に証紙の取付位置Ｐを設けてもよい。こうすると、前扉５を開放することにより、取付位置Ｏ，Ｐが視認可能になる。
【００６１】
なお、本発明は上記した実施形態に限定されるものではなく、その趣旨を逸脱しない限りにおいて上述したもの以外に種々の変更を行なうことが可能である。例えば、上記した各実施形態では各取付位置に証紙を貼付すると説明したが、証紙を直接貼付する場合のほか、証紙を貼り付けたシートやプレートを上記した各取付位置に取り付けてもよい。
【００６２】
また、上記した実施形態の説明では、取付位置に貼付された証紙が機器構造物に隠れるような場合を例示したが、少なくとも証紙の情報記載面情報記載部分が隠れるように取付位置が設けられていればよい。
【００６３】
また、上記した電源ユニット５７は移動可能ではなく固定されていてもよく、この場合、固定された電源ユニット５７と筐体３の左側板３ｂとの間に証紙を貼付したプレートを挿脱自在に挿入して配設し、必要時にこのプレートを引き出して証紙を確認できるようにすればよい。
【００６４】
また、筐体３内には、「高温注意」、「やけど注意」や「挟み込み注意」等の注意表示付近に証紙の取付位置を設けてもよい。
【００６５】
また、上記した実施形態では、本発明をスロットマシンに適用した例について説明したが、パチンコ機にも本発明を適用して同様の効果を得ることが可能である。
【００６６】
そして、スロットマシンなどの遊技機に対して、本発明を広く適用することが可能である。
【符号の説明】
【００６７】
１，１ａ  …スロットマシン（遊技機）、
３    …筐体
５    …前扉
１３，１３１…リールユニット（機器構造物）
４８  …ベース部材４８(機器構造物)
４９  …メイン基板ケース４９(機器構造物)
５５  …ホッパーユニット(機器構造物)
５７  …電源ユニット(機器構造物)
Ａ１〜Ａ１０，Ｂ，Ｃ１，Ｃ２，Ｄ１，Ｄ２，Ｅ１〜Ｅ３，Ｆ，Ｇ，Ｈ，Ｉ１，Ｉ２，Ｊ１，Ｊ２，Ｋ，Ｌ，Ｍ，Ｎ，Ｏ，Ｐ  …取付位置
Ｓ    …証紙
【図１】
2019103607.tif 000003
【図２】
2019103607.tif 000004
【図３】
2019103607.tif 000005
【図４】
2019103607.tif 000006
【図５】
2019103607.tif 000007
【図６】
2019103607.tif 000008
【図７】
2019103607.tif 000009
【図８】
2019103607.tif 000010
【図９】
2019103607.tif 000011
【図１０】
2019103607.tif 000012
【図１１】
2019103607.tif 000013
【図１２】
2019103607.tif 000014
【図１３】
2019103607.tif 000015
【図１４】
2019103607.tif 000016